(57)【特許請求の範囲】
【請求項１】
第１胴部３上端から肩部４を介して、口頸部５を起立し、該口頸部の下部を大外径部６として該大外径部の上部に切欠き７付きの第１係合突条８を周設する容器体１と、
上記第１係合突条８下面へ係合する第２係合突条12をフランジ状頂板13の内縁から垂設した吊下げ筒14の下部内面に周設すると共に、該第２係合突条から上記切欠き内へ嵌合させて回止め突部15を起立させ、かつ吊下げ筒下端を肩部４上面へ当接させ、又上記頂板外周から外筒16を垂下する握持部材11と、
上記握持部材の外筒16内面へ、上方筒部を固着させて有底の第２胴部23を垂下し、該第２胴部内には第１胴部３を遊挿させた保護筒21と、
上記口頸部５へ着脱自在に螺合させたキャップ31とからなり、
上記保護筒21の底部内面から複数のバネ板26を起立してこれ等複数のバネ板で容器体の底部を保持させると共に、上記キャップ頂壁32の左右ないし前後方向中間部からは弾性薄板34を起立させた
ことを特徴とする衝撃吸収容器。
【請求項２】
上記握持部材外筒16の下端部内面に第３係合突条17を周設すると共に、該突条上方の外筒内面部分に複数の第１歯条18を縦設しておき、
又保護筒21の上部を厚肉の大径部24に、かつ該大径部下方筒部分を薄肉の弾性筒に形成して、上記大径部の上部外面に、上記第１歯条と噛合う第２歯条25を複数縦設すると共に、大径部の下端面外周部を上記第３係合突条17上面へ係合させ、又キャップ頂壁32の左右ないし前後方向中間部からは弾性薄板34を起立した
ことを特徴とする、請求項１記載の衝撃吸収容器。
【発明の詳細な説明】
【０００１】
【発明の属する技術分野】
本発明は、衝撃吸収容器に関する。
【０００２】
【従来の技術】
輸送時等において、容器体内へ収納された錠剤が衝撃を受けることを防止するために、容器体上部内へ柔軟な発泡剤を充填することが行われている。
【０００３】
【発明が解決しようとする課題】
一般に化粧品を内容物とする化粧品容器は、化粧品の特性に適するよう種々の構成のものが提供されている。例えば化粧品の中には外部衝撃を受けることで損傷、具体的には有形物が変形し、又流動物が変質等するものもあり、このような化粧品は衝撃を極端に嫌うため、特別な容器を必要とする。
【０００４】
本発明はそのような化粧品等を収納するための容器を提案するものである。
【０００５】
【課題を解決するための手段】
第１の手段として第１胴部３上端から肩部４を介して、口頸部５を起立し、該口頸部の下部を大外径部６として該大外径部の上部に切欠き７付きの第１係合突条８を周設する容器体１と、
上記第１係合突条８下面へ係合する第２係合突条12をフランジ状頂板13の内縁から垂設した吊下げ筒14の下部内面に周設すると共に、該第２係合突条から上記切欠き内へ嵌合させて回止め突部15を起立させ、かつ吊下げ筒下端を肩部４上面へ当接させ、又上記頂板外周から外筒16を垂下する握持部材11と、
上記握持部材の外筒16内面へ、上方筒部を固着させて有底の第２胴部23を垂下し、該第２胴部内には第１胴部３を遊挿させた保護筒21と、
上記口頸部５へ着脱自在に螺合させたキャップ31とからなり、
上記保護筒21の底部内面から複数のバネ板26を起立してこれ等複数のバネ板で容器体の底部を保持させると共に、上記キャップ頂壁32の左右ないし前後方向中間部からは弾性薄板34を起立させた。
【０００６】
第２の手段として上記第１の手段を有すると共に上記握持部材外筒16の下端部内面に第３係合突条17を周設すると共に、該突条上方の外筒内面部分に複数の第１歯条18を縦設しておき、
又保護筒21の上部を厚肉の大径部24に、かつ該大径部下方筒部分を薄肉の弾性筒に形成して、上記大径部の上部外面に、上記第１歯条と噛合う第２歯条25を複数縦設すると共に、大径部の下端面外周部を上記第３係合突条17下面へ係合させ、又キャップ頂壁32の左右ないし前後方向中間部からは弾性薄板34を起立した。
【０００７】
【発明の実施の形態】
以下図面について説明すると、１は容器体で、半球面状に下方へ突出する第１底壁２外周から第１胴部３を起立し、該第１胴部の上端から肩部４を介して口頸部５を起立し、該口頸部の下部を大外径部６として、該大外径部の上部に図２が示すように左右ないし前後両側に切欠き７を有する第１係合突条８を周設している。又口頸部の上部外面には後述キャップ螺合用の雄ねじを周設している。
【０００８】
11は握持部材で、上記第１係合部下面へ係合する第２係合突条12をフランジ状頂板13の内縁から下内方へ垂設した吊下げ筒14の下部内面に周設すると共に、該第２係合突条から上記切欠き内へ嵌合させて回止め突部15を起立させ、又上記頂板外周から外筒16を垂下する。該握持部材は容器体に対して回動不能に、かつ容器体を上記第１、第２係合突条の係合で吊下げたものであり、又容器体が上方移動しないように吊下げ筒14下端を肩部上面へ当接させている。外筒16はやや長く設けてその下端内面に第３係合突条17を周設し、かつ該第３係合突条17上方の外筒内面部分に複数の第１歯条18を縦設している。又その外筒との間に間隙をおき、容器体第１胴部外径よりも大外径の中筒19を垂下している。
【０００９】
21は保護筒で、下方へ突出する半球面状の第２底壁22外周から第１胴部３を遊挿させて第２胴部23を起立し、その上方筒部を上記握持部材の外筒16内へ固着させている。上方筒部は厚肉の大径部24に、又該大外径部下方筒部分は薄肉の弾性筒に形成し、大径部の上部外面には既述第１歯条18と噛合う第２歯条25を複数縦設し、大径部の下端面外周部を第３係合突条17上面へ係合させている。尚中筒19は大径部の内面へ緊密に嵌合させている。
【００１０】
第２底壁22の内面中央部からは複数のバネ板26をほぼ等間隔に起立し、それ等複数のバネ板が囲成する空間部内へ容器体底部を各バネ板の弾性に抗して押込みし、このようにすることで各バネ板により容器体底部を保持させている。
【００１１】
31は容器体口頸部外面へ頂壁32外周から垂下する周壁33を螺合するキャップで、その頂壁32の左右ないし前後方向中間部から頂壁直径と同一巾の弾性薄板34を起立している。又頂壁からは口頸部内面へ嵌合させてシール筒35を垂下している。
【００１２】
既述各部材はそれぞれ合成樹脂材で成形しているが、容器体１は収納物との関係上ガラス等で成形する場合もある。
【００１３】
【発明の効果】
本発明は既述構成とするものであり、請求項１記載の場合は、第１係合突条８下面への第２係合突条12の係合と、肩部４上面への吊下げ筒14下端面の係合とで、容器体１を上下動不能に握持部材11で保護筒21内に吊下げることとなり、かつ保護筒21内における容器体第１胴部３の横揺れを複数バネ板26が弾性変形して防止することとなるから、保護筒21および握持部材11に加えられた衝撃を弱めることが出来る。又弾性薄板34でキャップに直接他物が当たることを防止することが出来る。キャップは口頸部に対して螺合するから、打栓式キャップの場合のように閉蓋時に容器体に対して衝撃を与えることがなく、握持部材11は容器体に対して回動不能としたから握持部材を持ってキャップの螺合、螺脱が出来る。
【００１４】
請求項２のようにすることで保護筒21と握持部材11とを一体的に固着でき、又第２胴部23の弾性変形を容易として、衝撃を和らげることが出来る。
【図面の簡単な説明】
【図１】  本発明容器の縦断面図である。
【図２】  要部断面の展開図である。
【符号の説明】
７…切欠き                      ８…第１係合突条
11…握持部材                    12…第２係合突条
14…吊下げ筒                    15…回止め突部
17…第３係合突条                18…第１歯条
21…保護筒                      25…第２歯条
31…キャップ
【図１】
0004666442.tif 000002
【図２】
0004666442.tif 000003